(57)【要約】【課題】  簡単な構造で網戸を連動構造とすることができ、網戸の開閉操作性の向上が図れるサッシを提供する。【解決手段】  上枠２ａ、下枠２ｂ及び左右の縦枠２ｃ，２ｄからなるサッシ枠２と、該サッシ枠２内にスライド開閉自在に設けられた障子３，４と、前記サッシ枠２内にスライド開閉自在に設けられた少なくとも内外２枚の網戸５，６とを備えたサッシ１であって、前記網戸５，６は上框３４ａ、下框３４ｂ及び左右の縦框３４ｃ，３４ｄからなる框組体３４内に網体３５を張設してなり、隣接する網戸５，６のうちの一方の網戸の戸先側縦框に他方の網戸の両縦框間に位置されて何れか一方の縦框の内側面に引っ掛かることにより網戸５，６を連動させるための引掛け部３７を設けている。【選択図】          図４
2006070577.tif 000002
【特許請求の範囲】
【請求項１】
上枠、下枠及び左右の縦枠からなるサッシ枠と、該サッシ枠内にスライド開閉自在に設けられた障子と、前記サッシ枠内にスライド開閉自在に設けられた少なくとも内外２枚の網戸とを備えたサッシであって、前記網戸は上框、下框及び左右の縦框からなる框組体内に網を張設してなり、隣接する網戸のうちの一方の網戸の戸先側縦框に他方の網戸の両縦框間に位置されて何れか一方の縦框の内側面に引っ掛かることにより網戸を連動させるための引掛け部を設けたことを特徴とするサッシ。
【発明の詳細な説明】
【技術分野】
【０００１】
本発明は、サッシに係り、特に網戸を連動構造にしたサッシに関する。
【背景技術】
【０００２】
サッシとしては、例えば実開昭５７−１６５９６号公報に記載されているように、窓開口部の前面に障子を建付ける障子摺動部と、該障子摺動部の一側方に前記障子を収納可能な障子収納部と、前記障子摺動部と障子収納部の境界位置に方立を配設した片寄せ全開タイプのサッシが知られている。このサッシによれば、窓開口部を全開させることができる。
【０００３】
また、このようなサッシにおいては、サッシ枠内にスライド開閉自在に設けられた少なくとも内外２枚の網戸を備えて構成されている。
【０００４】
【特許文献１】実開昭５７−１６５９６号公報
【発明の開示】
【発明が解決しようとする課題】
【０００５】
ところで、この種従来のサッシにおいては、内外の網戸を連動構造にしたものはなく、そのため、網戸を１枚ずつ開閉操作しなければならず、網戸の開閉に手間がかかるという問題があった。なお、障子の場合、内外の障子の召合せ框に障子閉鎖時に互いに係合する横断面Ｌ字状の煙返しを設けることにより、耐風圧性能の向上を図ると共に障子を連動可能としているが、この構造を厚さや取付スペースが制限されている網戸には適用することが困難である。
【０００６】
本発明は、上記事情を考慮してなされたものであり、簡単な構造で網戸を連動構造とすることができ、網戸の開閉操作性の向上が図れるサッシを提供することを目的とする。
【課題を解決するための手段】
【０００７】
本発明は、上枠、下枠及び左右の縦枠からなるサッシ枠と、該サッシ枠内にスライド開閉自在に設けられた障子と、前記サッシ枠内にスライド開閉自在に設けられた少なくとも内外２枚の網戸とを備えたサッシであって、前記網戸は上框、下框及び左右の縦框からなる框組体内に網体を張設してなり、隣接する網戸のうちの一方の網戸の戸先側縦框に他方の網戸の両縦框間に位置されて何れか一方の縦框の内側面に引っ掛かることにより網戸を連動させるための引掛け部を設けたことを特徴とする。
【発明の効果】
【０００８】
本発明によれば、上枠、下枠及び左右の縦枠からなるサッシ枠と、該サッシ枠内にスライド開閉自在に設けられた障子と、前記サッシ枠内にスライド開閉自在に設けられた少なくとも内外２枚の網戸とを備えたサッシであって、前記網戸は上框、下框及び左右の縦框からなる框組体内に網体を張設してなり、隣接する網戸のうちの一方の網戸の戸先側縦框に他方の網戸の両縦框間に位置されて何れか一方の縦框の内側面に引っ掛かることにより網戸を連動させるための引掛け部を設けているため、簡単な構造で網戸を連動構造とすることができ、網戸の開閉操作性の向上が図れる。
【発明を実施するための最良の形態】
【０００９】
以下に、本発明を実施するための最良の形態について、添付図面を基に詳述する。図１は本発明の第１実施形態であるサッシを概略的に示す室外側正面図、図２は図１のサッシの障子片寄せ時の縦断面図、図３は図１のサッシの障子閉鎖時の横断面図、図４は同サッシの障子開放状態で網戸閉鎖時の横断面図である。
【００１０】
この第１実施形態は、本発明を内外２枚の障子を有する片寄せ全開タイプのサッシに適用した場合を示している。これらの図に示すように、このサッシ１は、上枠２ａ、下枠２ｂ及び左右の縦枠２ｃ，２ｄからなるサッシ枠２と、該サッシ枠２内にスライド開閉自在に設けられた内外２枚の障子３，４と、前記サッシ枠２内にスライド開閉自在に設けられた少なくとも内外２枚（本実施例では２枚）の網戸５，６とを備えている。特に、このサッシ１は、建物の躯体７の窓開口部８の前面に障子３，４を建付ける障子摺動部９と、該障子摺動部９の一側方に前記障子３，４を収納可能な障子収納部（戸袋部ともいう）１０と、前記障子摺動部９と障子収納部１０の境界位置に配設される方立１１とを備えている。
【００１１】
上枠２ａ、下枠２ｂ、縦枠２ｃ，２ｄ及び方立１１は、例えばアルミ押出形材からなり、上枠２ａ、下枠２ｂ、窓開口部８の一側に位置される一方の縦枠２ｃ及び方立１１は、中空構造（ホロー構造）とされている。方立１１は上枠２ａと下枠２ｂの間に配置されていると共に窓開口部８の他側に位置されて躯体７の屋外面に固定されている。方立１１は障子摺動部９と干渉しないようにサッシ枠２内における屋内寄りに配置されている。サッシ枠１は躯体７の屋外面に固定された外付け構造とされている。この場合、下枠２ｂの取付強度を高めるために、下枠２ｂの窓開口部８に対応する部分を窓台１２に係止して固定するためのブラケット１３が係合構造１４とネジ（固着具）１５により下枠２ｂの屋内面に取付けられている。このブラケット１３は下枠の屋内面に取付けられる垂直部１３ａと、この垂直部１３ａの上縁部から屋内側へ直角に折り曲げられ、窓台１２の上部に係止されてネジ１６で固定される水平部１３ｂとを有している。すなわち、サッシ枠２の取付けには、外付け構造の他に、下枠２ｂの荷重を窓台１２で受けるいわゆる半外付け仕様が採用されている。
【００１２】
障子摺動部９として、下枠２ｂ上には上面フラット仕様の下部ガイドレール１７ａ，１７ｂが方立１１よりも屋外側であって両縦枠２ｃ，２ｄ間の下枠２ｂの全長に取付けられている。また、一方（戸先側）の縦枠２ｃと方立１１との間の屋内に露出する下枠２ｂ上には結露を防止するための合成樹脂製の上面フラット構造の下部カバー部材１８が取付けられている。この下部カバー部材１８の屋外側縁部が下枠２ｂの上面に設けられた係止受部１９に係止され、下部カバー部材１８の屋内側縁部が前記ブラケット１３の上部屋内縁部に設けられた係止受部２０に係止されている。
【００１３】
上枠２ａの下面には障子３，４の上部を案内するための上部ガイドレール２１ａ，２１ｂが上枠２ａの全長に設けられている。戸先側の縦枠２ｃと方立１１との間の屋内に露出する上枠２ａ下面には、結露を防止するための合成樹脂製の上部カバー部材２２が取付けられている。障子収納部（戸袋部）１０においては、図示例では躯体７の屋外面に外壁材２３を取付けているが、サッシ枠２の屋外面に鏡板を取付けても良い（図示省略）。
【００１４】
内障子３は、上框２４ａ、下框２４ｂ及び左右の縦框２４ｃ，２４ｄからなる框組体２４内にパネルであるガラス２５を装着してなる。外障子４は、上框２６ａ、下框２６ｂ及び左右の縦框２６ｃ，２６ｄからなる框組体２６内にパネルであるガラス２５を装着してなる。下框２４ｂ，２６ｂには下部ガイドレール１７ａ，１７ｂ上を走行する戸車２７が設けられている。方立１１と内障子３の縦框２４ｄには障子閉鎖時に互いに係合する煙返し２８が設けられ、外障子４の召合せ框（召外框）２６ｄと内障子３の召合せ框（召内框）２４ｃには障子閉鎖時に互いに係合する煙返し２９が設けられている。
【００１５】
外障子４よりも屋外側に網戸５，６をスライド開閉自在に支持するために、上枠２ａと下枠２ｂの対向面には網戸用の上部レール３２ａ，３２ｂと下部レール３３ａ，３３ｂが左右の縦枠２ｃ，２ｄ間の全長に設けられている。網戸５，６は、上框３４ａ、下框３４ｂ及び左右の縦框３４ｃ，３４ｄからなる框組体３４内に防虫用の網体３５を張設してなり、下框３４ｂには下部レール３３ａ，３３ｂ上を走行する戸車３６が設けられている。網戸５，６は、厚さが薄く形成されていると共に、外網戸６と内網戸５が、内網戸５と外障子６がそれぞれ近接するよう取付スペースが制限されている。
【００１６】
このように厚さや取付スペースが制限されている網戸５，６を連動構造とするために、隣接する網戸５，６のうちの一方の網戸５の戸先側縦框３４ｃに他方の網戸６の両縦框３４ｃ，３４ｄ間に位置されて何れか一方の縦框の内側面に引っ掛かることにより網戸５，６を連動させるための引掛け部３７が設けられている。図示例の場合、網体３５が框組体３４内（内周）の略屋外面位置に配置され、框組体３４内の屋内側に凹部３８が形成されているため、外網戸６の凹部３８に入るように内網戸５の戸先側縦框３４ｃの屋外面に引掛け部３７が突設されている。引掛け部３７は戸先側縦框３４ｃの長手方向に沿って所定の範囲（上框３４ａと下框３４ｂの間隔内）でリブ状に形成されている。
【００１７】
また、この場合、図４に示すように引掛け部３７は内網戸５の戸先側縦框３４ｃの先端部に設けられていることが、網戸閉鎖時に外網戸６の召外框３４ｄと内網戸５の召内框３４ｃとが丁度重なって意匠性の向上が図れる点で好ましい。更に、内外の網戸５，６は、図３に示すように収納時（開放時）に収納側（障子収納部側）の縦框４３ｄ，４３ｄが揃うように、幅寸法を違えて形成されていることが収納スペースを小さくできると共に、収納スペースを小さくできる分だけ開口を大きくとれる点で好ましい。図示例では、内網子５の幅寸法が外網戸６の幅寸法よりも縦框３４ｃ１つ分小さく形成されている。なお、図２ないし図３において、４５は床材、４６は額縁である。
【００１８】
以上の構成からなるサッシ１において、網戸５，６を図３に示す収納状態から図４に示す閉鎖状態にする場合には、外網戸６を収納側とは反対側へスライド移動させれば良く、その際に内網戸５の引掛け部３７が外網戸６の縦框３４ｄの内側面に係止され（引っ掛かり）、内網戸５を外網戸６と連動させて閉鎖することができる。逆に網戸５，６を閉鎖状態から収納状態にする場合には、外網戸６を収納側へスライド移動させれば良く、その際に内網戸５の引掛け部３７が外網戸６の縦框３４ｃの内側面に係止され（引っ掛かり）、内網戸５を外網戸６と連動させて収納することができる。
【００１９】
このようにサッシ１によれば、上枠２ａ、下枠２ｂ及び左右の縦枠２ｃ，２ｄからなるサッシ枠２と、該サッシ枠２内にスライド開閉自在に設けられた障子３，４と、前記サッシ枠２内にスライド開閉自在に設けられた少なくとも内外２枚の網戸５，６とを備え、前記網戸５，６は上框３４ａ、下框３４ｂ及び左右の縦框３４ｃ，３４ｄからなる框組体３４内に網体３５を張設してなり、隣接する網戸５，６のうちの一方の網戸５の戸先側縦框３４ｃに他方の網戸６の両縦框３４ｃ、３４ｄ間に位置されて何れか一方の縦框の内側面に引っ掛かることにより網戸５，６を連動させるための引掛け部３７を設けているため、簡単な構造で網戸を連動構造とすることができ、網戸の開閉操作性の向上が図れる。
【００２０】
また、前記引掛け部３７が内網戸５の閉移動側先端の縦框（戸先側縦框）３４ｃの先端部に設けられているため、網戸閉鎖時に外網戸６の召外框３４ｄと内網戸５の召内框３４ｃとが屋内外方向に丁度重なるようになり、意匠性の向上が図れる。更に、内外の網戸５，６は、収納時（開放時）に収納側（障子収納部側）の縦框３４ｄ、３４ｄが屋内外方向に揃うように、幅寸法を違えて形成されているため、網戸５，６の収納スペースを小さくすることができると共に、収納スペースを小さくできる分だけ開口を大きくとることができる。
【００２１】
図５は本発明の第２実施形態であるサッシを概略的に示す室外側正面図、図６は同サッシの網戸閉鎖時の横断面図、図７は網戸閉鎖用位置決めストッパーを示す斜視図である。この第２実施形態は、本発明を合掌式に内外２枚ずつの障子を有する両寄せ全開タイプのサッシに適用した場合を示している。すなわち、このサッシ１は、前記図３のサッシ１を戸先側縦枠２ｃを取除いて左右対称に接続した構造であり、障子閉鎖時に左右の外障子４，４がサッシ枠２の中央部で合掌（突き合わ）され、障子全開時に左右の外網戸４，４がサッシ枠２の中央部で合掌（突き合わ）されるようになっている。本実施例において、前記実施例と同一部分は同一符号を付して説明を省略する。
【００２２】
このサッシ１においては、前記実施例と同様の他に、下枠２ｂの上面に、網戸閉鎖時に網戸５を位置決め停止させるための位置決めストッパー３９が設けられている。実施例では、下枠２ｂ上における網戸閉鎖時に内網戸５を位置決め停止する位置に位置決めストッパー３９がネジ４０で取付けられている。位置決めストッパー３９は、下部ガイドレール１７ａ，１７ｂと略同じ高さの平坦（フラット）構造とされており、出っ張っていないので歩行の邪魔にならず、意匠的にも良い。
【００２３】
本実施例のサッシ１によれば、前記実施例と同様の効果を奏することができる他に、下枠２ｂ上に網戸５，６を閉鎖位置に位置決め停止するための位置決めストッパー３９を設けているために、例えば外網戸６をサッシ枠２の中央で正確且つ容易に合掌させることができ、網戸閉鎖時の操作性の向上が図れる。
【００２４】
図８は本発明の第３実施形態であるサッシを概略的に示す室外側正面図、図９は図８のサッシの障子片寄せ時の縦断面図、図１０は図８のサッシの障子閉鎖時の横断面図、図１１は同サッシの障子開放状態で網戸閉鎖時の横断面図である。この第３実施形態は、本発明を内外３枚の障子３，４，４１を有する片寄せ全開タイプのサッシに適用した場合を示している。本実施例において、前記実施例と同一部分は同一符号を付して説明を省略する。この場合、内障子３と外障子４の間に中間障子４１が配置され、上枠２ａと下枠２ｂの対向面には内ガイドレール１７ａ，２１ａと外ガイドレール１７ｂ，２１ｂの間に中間ガイドレール１７ｃ，２１ｃが設けられている。また、内網戸５と外網戸６の間に中間網戸４２が配置され、上枠２ａと下枠２ｂの対向面には内レール３２ａ，３３ａと外レール３２ｂ，３３ｂの間に中間レール３２ｃ，３３ｃが設けられている。
【００２５】
また、内障子３の召内框２４ｃには中間障子４１の召外框４３ｄを固定するクレセント錠３０ｂが設けられ、中間障子４２の召内框４３ｃには外障子４の召外框２６ｄを固定するクレセント錠３０ｃが設けられている。更に、内網戸５の戸先側縦框３４ｃには中間網戸４２の両縦框３４ｃ、３４ｄ間の何れか一方の内側面に引っ掛かる引掛け部３７ａが設けられ、中間網戸４２の戸先側縦框３４ｃには外網戸６の両縦框３４ｃ、３４ｄ間の何れか一方の内側面に引っ掛かる引掛け部３７ｂが設けられている。本実施例のサッシによれば、前記実施例と同様の効果を奏することができる。
【００２６】
以上、本発明の実施の形態ないし実施例を図面により詳述してきたが、本発明は前記実施の形態ないし実施例に限定されるものではなく、本発明の要旨を逸脱しない範囲での種々の設計変更等が可能である。
【図面の簡単な説明】
【００２７】
【図１】本発明の第１実施形態であるサッシを概略的に示す室外側正面図である。
【図２】図１のサッシの障子片寄せ時の縦断面図である。
【図３】図１のサッシの障子閉鎖時の横断面図である。
【図４】同サッシの障子開放状態で網戸閉鎖時の横断面図である。
【図５】本発明の第２実施形態であるサッシを概略的に示す室外側正面図である。
【図６】網戸閉鎖時の横断面図である。
【図７】網戸閉鎖用位置決めストッパーを示す斜視図である。
【図８】本発明の第３実施形態であるサッシを概略的に示す室外側正面図である。
【図９】図８のサッシの障子片寄せ時の縦断面図である。
【図１０】図８のサッシの障子閉鎖時の横断面図である。
【図１１】同サッシの障子開放状態で網戸閉鎖時の横断面図である。
【符号の説明】
【００２８】
１  サッシ
２  サッシ枠
２ａ  上枠
２ｂ  下枠
２ｃ，２ｄ  縦枠
３，４  障子
５，６  網戸
３４  框組体
３４ａ  上框
３４ｂ  下框
３４ｃ、３４ｄ  縦框
３５  網体
３７  引掛け部
【図１】
2006070577.tif 000003
【図２】
2006070577.tif 000004
【図３】
2006070577.tif 000005
【図４】
2006070577.tif 000006
【図５】
2006070577.tif 000007
【図６】
2006070577.tif 000008
【図７】
2006070577.tif 000009
【図８】
2006070577.tif 000010
【図９】
2006070577.tif 000011
【図１０】
2006070577.tif 000012
【図１１】
2006070577.tif 000013